(57)【要約】      （修正有）【課題】窓の中間での開放停止角度を狭く設定することができ、ストップ機能が付いていない既存のステーに何ら加工を必要とすることなくストップ機能を後付で付加することができるすべり出し窓用のステーを提供する。【解決手段】窓枠Ａに固定される枠側取付けプレート１２に、この枠側取付けプレート１２に取付けたショートアーム１３と、前記ショートアーム１３に回動自在に連結した窓側取付けプレート１４と、前記窓側取付けプレート１４と枠側取付けプレート１２を回動自在に連結するロングアーム１５を設けたすべり出し窓用のステー１１において、前記ロングアーム１５の上面で前記枠側取付けプレート１２への連結側の位置に、台座２９と操作板３０の組み合わせからなり、前記ロングアーム１５の屋外側への揺動角度を制限及び制限解除する開放制限具１６を、前記枠側取付けプレート１２を窓枠Ａに固定する取付けねじを介して着脱自在に取付ける。【選択図】図１
2008169669.tif 000002
【特許請求の範囲】
【請求項１】
窓枠の下枠上面に取付けねじで固定され、その長さ方向に沿ってガイド溝が設けられた細長い枠側取付けプレートと、前記ガイド溝に沿うスライドと屋外側に向けて所定角度の揺動とが可能となるよう枠側取付けプレートに取付けたショートアームと、前記ショートアームの揺動側端部に一方側の端部を回動自在に連結した窓側取付けプレートと、前記窓側取付けプレートの途中と枠側取付けプレートの他方端部を回動自在に連結するロングアームからなり、前記ショートアーム及びロングアームの揺動とショートアームのガイド溝に沿ったスライドとによって、前記窓側取付けプレートを枠側取付けプレートの上面に重なる位置から屋外側に所定角度回動して突出した位置との間で開閉自在としたすべり出し窓用のステーにおいて、
前記ロングアームの上面で前記枠側取付けプレートへの連結側の位置に、このロングアームの屋外側への揺動角度を制限及び制限解除する開放制限具を、前記枠側取付けプレートをロングアームの連結位置よりも他方端部に片寄った位置で窓枠に固定する取付けねじを介して着脱自在に取付けたことを特徴とするすべり出し窓用のステー。
【請求項２】
上記開放制限具が、その上面に上記取付けねじが挿入される筒体が突設され、上面がこの筒体の近傍から他方端部に向けて下がる傾斜面となり、上記枠側取付けプレートの上面に固定配置される台座と、前記台座からロングアームの上面に重なる長さを有し、この台座の上面に重なる部分に前記筒体へ余裕をもって外嵌する孔が設けられ、前記台座に対して筒体を支点とする平面的な揺動角度が一定角度に規制され、かつ、前記傾斜面によって筒体の嵌合部分の位置で上下に傾動可能となる操作板とで形成され、前記操作板の長さ方向に沿う屋外側の側縁に、上記ロングアームの屋外側への回動時に当接することによってロングアームの屋外側への揺動角度を制限し、傾動によってロングアームとの係合が解ける制限板が設けられていることを特徴とする請求項１に記載のすべり出し窓用のステー。
【請求項３】
上記開放制限具の操作板は、長さ方向の中央部から他方端部側に片寄った位置に孔を設けることによって、一方の端部側が自重で常時ロングアームの上面に重なって水平姿勢となる重量配分となり、上記制限板は、操作板の傾動によって係合を解いたロングアームが制限角度以上に屋外側へ回動した状態でロングアームの上面に載り、ロングアームの枠側取付けプレートの上面に重なる位置へ向けての回動を自由にし、ロングアームが枠側取付けプレートの上面に重なる位置に戻ると、操作板は水平姿勢に自動復帰するようになっていることを特徴とする請求項２に記載のすべり出し窓用のステー。
【発明の詳細な説明】
【技術分野】
【０００１】
この発明は、すべり出し窓の開度を途中で規制することができるすべり出し窓用のステーに関する。
【背景技術】
【０００２】
従来、一般的に用いられているすべり出し窓用のステー１は、図８に示すように、窓枠Ａの下枠ａ上面に複数の取付けねじで固定される細長い枠側取付けプレート２と、前記枠側取付けプレート２に取付けたショートアーム３と、前記ショートアーム３の揺動側端部に一方側の端部を回動自在に連結され、窓Ｂの下面にねじで固定される窓側取付けプレート４と、前記窓側取付けプレート４の途中と枠側取付けプレート２の他方端部を回動自在に連結するロングアーム５で形成されている。
【０００３】
上記枠側取付けプレート２は、下枠ａの上面に固定する長いベース板２ａの室内側の長さ方向に沿う側縁に、立ち上がり壁と上壁及び短い側壁で屋外側が開放するガイド溝６が設けられ、上記ショートアーム３は、前記ガイド溝６に沿うスライド移動と屋外側に向けて所定角度の揺動とが可能となるよう枠側取付けプレート２に取付けられ、上記窓側取付けプレート４は、前記ショートアーム３の揺動側端部に一方側の端部が回動自在に連結され、前記ショートアーム３及びロングアーム５の揺動とショートアーム３のガイド溝６に沿ったスライド移動とによって、枠側取付けプレート２の上面に重なる位置から屋外側に所定角度回動して突出した位置との間で開閉自在となっている。
【０００４】
上記ショートアーム３は、ガイド溝６の両端部に設けたストッパー７と８間を移動し、ショートアーム３が図８の左側に位置する一方のストッパー７に当接する状態で、窓側取付けプレート４とロングアーム５は枠側取付けプレート２の上に平行状態で重なり、窓Ｂが窓枠Ａ内に収まって閉じた状態となり、また、ハンドルＣを介して窓Ｂを押し開くと、窓Ｂとこれに固定した窓側取付けプレート４がショートアーム３への枢止連結点を支点に回動し、同時に窓側取付けプレート４と枠側取付けプレート２を連結するロングアーム５の屋外側への回動で、ショートアーム３は枠側取付けプレート２の他方端部側へスライド移動し、これによって窓Ｂは屋外側への回動と横移動の複合した動きをしながら開き、ショートアーム３が他方端部のストッパー８に当接して停止すれば、図８に一点鎖線のように、窓Ｂは窓枠Ａに対して直角に突出した全開状態となる。
【０００５】
また、窓Ｂを閉じるためにハンドルＣを室内側へ引くと、すべり出し窓用のステー１のショートアーム３と窓側取付けプレート４及びロングアーム５は開放時と逆の動きをすることで、窓Ｂが窓枠Ａ内に収まって閉じた状態になる。
【０００６】
ところで、上記のような従来のすべり出し窓用のステー１は、窓Ｂを押し開くと全開位置にまで一気に開くことになり、開き操作時に窓Ｂと窓枠Ｃの間に大きな空隙が発生し、子供が開放操作した場合に誤ってこの空隙から落下するという危険性がある。
【０００７】
このような危険を防止するため、窓を全開状態と閉鎖状態の中間で停止させることができるようにストップ機能を付加したすべり出し窓用のステーが提案されている（例えば、特許文献１参照）。
【０００８】
このすべり出し窓用のステーは、ショートアームとロングアームの中間位置を、枠側取付けプレートと平行するストップ用の中間アームで回動自在に連結し、ロングアームの中間位置と中間アームの端部を連結する解除機構を、ロングアームに設けた突起と中間アームに前記突起が嵌合するよう設けた孔とで形成し、窓を開いたとき、中間アームがロングアームの回動を中間で止めることで窓を全開状態と閉鎖状態の中間で停止させ、この後、解除機構の突起を孔から抜いて中間アームとロングアームの連結を解いた状態で、窓を全開位置に回動させるようになっている。
【特許文献１】特許第３２４７９６９号公報
【発明の開示】
【発明が解決しようとする課題】
【０００９】
ところで、上記のようなストップ機能を付加したすべり出し窓用のステーは、ロングアームの中間位置に解除機構が設けられているので、窓をある程度開けないと操作することができず、このため、窓の中間での開放停止角度が広くなり、子供が落下するという危険性を十分に防止することができないという問題がある。
【００１０】
また、ショートアームとロングアームの中間位置をストップ用の中間アームで連結し、ロングアームの中間位置と中間アームの端部に解除機構を設けた構造は、ロングアームに加工が必要になり、ストップ機能が付いていない既存のすべり出し窓用のステーに採用することができないものである。
【００１１】
そこで、この発明の課題は、窓の中間での開放停止角度を狭く設定することができ、子供の落下防止を確実に果たすことができるだけでなく、ストップ機能が付いていない既存のすべり出し窓用のステーに何ら加工を必要とすることなくストップ機能を後付で付加することができるすべり出し窓用のステーを提供することにある。
【課題を解決するための手段】
【００１２】
上記のような課題を解決するため、この発明は、窓枠の下枠上面に取付けねじで固定され、その長さ方向に沿ってガイド溝が設けられた細長い枠側取付けプレートと、前記ガイド溝に沿うスライドと屋外側に向けて所定角度の揺動とが可能となるよう枠側取付けプレートに取付けたショートアームと、前記ショートアームの揺動側端部に一方側の端部を回動自在に連結した窓側取付けプレートと、前記窓側取付けプレートの途中と枠側取付けプレートの他方端部を回動自在に連結するロングアームからなり、前記ショートアーム及びロングアームの揺動とショートアームのガイド溝に沿ったスライドとによって、前記窓側取付けプレートを枠側取付けプレートの上面に重なる位置から屋外側に所定角度回動して突出した位置との間で開閉自在としたすべり出し窓用のステーにおいて、前記ロングアームの上面で前記枠側取付けプレートへの連結側の位置に、このロングアームの屋外側への揺動角度を制限及び制限解除する開放制限具を、前記枠側取付けプレートをロングアームの連結位置よりも他方端部に片寄った位置で窓枠に固定する取付けねじを介して着脱自在に取付けた構成を採用したものである。
【００１３】
上記開放制限具が、その上面に上記取付けねじが挿入される筒体が突設され、上面がこの筒体の近傍から他方端部に向けて下がる傾斜面となり、上記枠側取付けプレートの上面に固定配置される台座と、前記台座からロングアームの上面に重なる長さを有し、この台座の上面に重なる部分に前記筒体へ余裕をもって外嵌する孔が設けられ、前記台座に対して筒体を支点とする平面的な揺動角度が一定角度に規制され、かつ、前記傾斜面によって筒体の嵌合部分の位置で上下に傾動可能となる操作板とで形成され、前記操作板の長さ方向に沿う屋外側の側縁に、上記ロングアームの屋外側への回動時に当接することによってロングアームの屋外側への揺動角度を制限し、傾動によってロングアームとの係合が解ける制限板が設けられている構造とすることができる。
【００１４】
また、上記開放制限具の操作板は、長さ方向の中央部から他方端部側に片寄った位置に孔を設けることによって、一方の端部側が自重で常時ロングアームの上面に重なって水平姿勢となる重量配分となり、上記制限板は、操作板の傾動によって係合を解いたロングアームが制限角度以上に屋外側へ回動した状態でロングアームの上面に載り、ロングアームの枠側取付けプレートの上面に重なる位置へ向けての回動を自由にし、ロングアームが枠側取付けプレートの上面に重なる位置に戻ると、操作板は水平姿勢に自動復帰するようになっている構造としてもよい。
【００１５】
ここで、上記枠側取付けプレートは、長いベース板の室内側の長さ方向に沿う側縁に、立ち上がり壁と上壁及び短い側壁で屋外側が開放するガイド溝が設けられ、ベース板の両端部と中間位置に設けた挿通孔から下枠に取付けねじをねじ込むことにより、下枠上面の長さ方向に沿って固定される。
【００１６】
上記ショートアームは、ベース板上に重なる状態で上壁の上面と略等しい厚さを有する横長で、一方端部の上面に窓側取付けプレートの一方端部がピンで枢止され、他方端部が傾斜面となり、ガイド溝に臨む側縁にこのガイド溝内に挿入する薄板部が連成され、この薄板部の上面に設けた突起がガイド溝内に嵌り込むことにより、ガイド溝に対して抜け止め状態でガイド溝の長さ方向にスライド移動自在となっている。
【００１７】
このガイド溝の両端部には、ショートアームの移動を制限するストッパーが設けられ、ショートアームは一方のストッパーに当接する状態で枠側取付けプレートと平行するよう、中間部の位置にストッパーに外嵌する切り欠きが設けられ、ガイド溝に沿う移動時には、傾斜面がガイド溝に臨み、ガイド溝に対して角度を持った姿勢で移動するようになっている。
【００１８】
上記開放制限具における台座の上面で室内側の側縁に立ち上がり壁が設けられ、この台座の一方端部は、屋外側コーナがロングアームを逃がすための切り欠き部と、室内側がガイド溝の他方端部に対する挿入片になっており、筒体から挿通孔を介して下桟に取付けねじをねじ込むことにより、すべり出し窓用のステーに対して後付によって固定化することができ、ストップ機能が付いていない既存のすべり出し窓用のステーに何ら加工を必要とすることなくストップ機能を付加することができることになる。
【００１９】
また、台座の上に配置する操作板は、筒体に挿入した取付けねじの頭部で抜け止め状に取り付けられることになり、この操作板の室内側に臨む側縁は、長さ方向の直線縁と孔の部分から他端側が傾斜縁となり、筒体を支点に回動して傾斜縁が立ち上がり壁に当接した傾斜角度が、ロングアームの揺動の中間規制角度となる。
【００２０】
このように、開放制限具はロングアームの根元側となる枠側取付けプレートへの枢止部分に取付けることにより、窓を少し開いただけで操作板を操作することができ、窓の中間での開放停止角度を狭く設定することで、子供の落下防止を確実に果たすことができることになる。
【発明の効果】
【００２１】
この発明によると、すべり出し窓用のステーにおけるロングアームの上面で枠側取付けプレートへの連結側の位置に、このロングアームの屋外側への揺動角度を制限及び制限解除する開放制限具を、前記枠側取付けプレートをロングアームの連結位置よりも他方端部に片寄った位置で窓枠に固定する取付けねじを介して着脱自在に取付けたので、すべり出し窓用のステーに窓を全開状態と閉鎖状態の中間で停止させることができるようにストップ機能を持たせることができ、しかも、開放制限具はロングアームの根元側となる枠側取付けプレートへの枢止部分に取付けるので、窓を少し開いただけで操作板を操作することができ、窓の中間での開放停止角度を狭く設定することで、子供の落下防止を確実に果たすことができる。
【００２２】
また、開放制限具は、枠側取付けプレートの窓枠への固定取付けねじを利用してすべり出し窓用のステーに取付けることができるので、窓枠やすべり出し窓用のステーに対する追加加工が一切不要になり、既存のすべり出し窓用のステーに対して後付けできるので、既設の現場でも窓を外すことなく取付けができて施工性がよいと共に、各現場でのオプション的な対応が可能になり、開放制限なしのすべり出し窓用のステーを簡単に開放制限付にすることができる。
【発明を実施するための最良の形態】
【００２３】
以下、この発明の実施の形態を添付図面に基づいて説明する。
【００２４】
図１乃至図４のように、すべり出し窓用のステー１１は、窓枠Ａの下枠ａ上面に複数の取付けねじで固定される細長い枠側取付けプレート１２と、前記枠側取付けプレート１２に取付けたショートアーム１３と、前記ショートアーム１３の揺動側端部に一方側の端部を回動自在に連結し、窓Ｂの下面に複数のねじで固定される窓側取付けプレート１４と、前記窓側取付けプレート１４の途中と枠側取付けプレート１２の他方端部を回動自在に連結するロングアーム１５で形成され、前記枠側取付けプレート１２の上面でロングアーム１５を枢止連結した部分に、ロングアーム１５の屋外側への回動角度を制限及び制限解除する開放制限具１６が、前記枠側取付けプレート１２をロングアーム１５の連結位置よりも他方端部に片寄った位置で窓枠Ａに固定する取付けねじを介して着脱自在に取付けられている。
【００２５】
上記枠側取付けプレート１２は、長いベース板１２ａの室内側の長さ方向に沿う側縁に、立ち上がり壁と上壁及び短い側壁で屋外側が開放するガイド溝１７が全長にわたって設けられ、ベース板１２ａの両端部と中間位置に設けた挿通孔１８から下枠ａに取付けねじをねじ込むことにより、下枠ａの上面の長さ方向に沿って固定される。
【００２６】
上記ショートアーム１３は、ベース板１２ａ上に重なる状態でガイド溝１７の上壁の上面と略等しい厚さを有する横長で、一方端部の上面に窓側取付けプレート１４の一方端部がピン１９で枢止連結され、他方端部が傾斜面２０となり、ガイド溝１７に臨む側縁にこのガイド溝１７内に挿入する薄板部１３ａが連成され、この薄板部１３ａの上面で中間部と傾斜面２０の先端に近接する位置とに設けた突起２１と２２がガイド溝１７内に嵌り込むことにより、ガイド溝１７に対して抜け止め状態でガイド溝１７の長さ方向にスライド移動自在となっている。
【００２７】
このガイド溝１７の両端部には、ショートアーム１３の移動ストロークを制限するストッパー２３と２４が設けられ、ショートアーム１３は一方のストッパー２３に当接する状態で枠側取付けプレート１２と平行するよう、中間部の位置にストッパー２３に外嵌する弧状の切り欠き２５が設けられ、また、ガイド溝１７の側壁には、ショートアーム１３の切り欠き２５が一方のストッパー２３に当接した状態で傾斜面２０の先端に近接する突起２２がガイド溝１７に対して出入りできる切り欠き２６が設けてある。
【００２８】
図３のように、ショートアーム１３の切り欠き２５が一方のストッパー２３に当接して枠側取付けプレート１２と平行する状態で、傾斜面２０の先端に近接する突起２２がガイド溝１７の外部に位置し、窓Ｂの開放を開始したときにショートアーム１３は前記ストッパー２３への当接点を支点に回動し、次に中間の突起２１を支点に回動することで切り欠き２５がストッパー２３から離れると共に、傾斜面２０の先端に近接する突起２２が切り欠き２６からガイド溝１７内に進入し、以後のガイド溝１７に沿うショートアーム１３の移動を、ガイド溝１７に対して角度を持った姿勢となるよう両突起２１と２２によって誘導することになる。
【００２９】
上記窓側取付けプレート１４は、ショートアーム１３の上面で揺動側の端部に一方側の端部がピン１９で回動自在に連結され、ロングアーム１５は、一方の端部が窓側取付けプレート１４の中間部とピン２７で回転自在に連結され、他方の端部が、前記枠側取付けプレート１２の他方端部にピン２８で回動自在に連結され、枠側取付けプレート１２の他方端部に設けた挿通孔１８は、前記ロングアーム１５のピン２８による他方端部の枢止点よりも少し端部寄りの位置に近接して設けられている。
【００３０】
上記のような枠側取付けプレート１２に対するショートアーム１３とロングアーム１５及び窓側取付けプレート１４の取付け構造により、前記ショートアーム１３及びロングアーム１５の回動とショートアーム１３のガイド溝１７に沿ったスライド移動とによって、前記窓側取付けプレート１４は枠側取付けプレート１２の上面に重なる位置から屋外側に所定角度回動して突出した位置との間で開閉自在となる。
【００３１】
上記開放制限具１６は、図５乃至図７のように、枠側取付けプレート１２のロングアーム１５を連結した他方端部に、この枠側取付けプレート１２を窓枠Ａの下枠ａに固定する取付けねじを介して着脱自在に取付ける台座２９と、この台座２９の上面に設けた操作板３０とで形成されている。
【００３２】
上記台座２９は、その上面に上記取付けねじが挿入される筒体３１が突設され、上面がこの筒体３１の近傍から他方端部に向けて下がる傾斜面３２となり、更に、台座２９の上面で室内側の側縁に立ち上がり壁３３が設けられ、この台座２９の一方端部は、屋外側コーナがロングアーム１５を逃がすための切り欠き部３４と、室内側がガイド溝１７の他方端部に対する挿入片３５になっており、筒体３１から挿通孔１８を介して下枠ａに取付けねじをねじ込むことにより、すべり出し窓用のステー１１に対して後付によって固定化することができるようになっている。
【００３３】
また、操作板３０は、上記台座２９上からロングアーム１５の上面に重なる長さを有し、前記台座２９の上面に重なる部分に前記筒体３１へ余裕をもって外嵌する孔３６が設けられ、この操作板３０の室内側に臨む側縁は、長さ方向に沿った直線縁３７と他方端部に向けて下がり傾斜となる傾斜縁３８に形成され、直線縁３７又は傾斜縁３８が立ち上がり壁３３に当接することによって、前記台座２９に対して操作板３０は、筒体３１を支点とする平面的な揺動角度が一定角度に規制され、かつ、前記台座２９の上面に設けた傾斜面３２によってこの傾斜面３２の上端を支点として上下に傾動可能となる。
【００３４】
上記操作板３０の長さ方向に沿う屋外側の側縁に、操作板３０から下向きに折れ曲がり、上記ロングアーム１５が屋外側へ回動した時に係合することによってこのロングアーム１５の屋外側への回動角度を制限し、上下方向の傾斜によってロングアームとの係合が解ける制限板３９が設けられている。
【００３５】
この開放制限具１６の操作板３０は、長さ方向の中央部から他方端部側へ少し片寄った位置に孔３６を設けることによって、一方の端部側が自重で常時ロングアーム１５の上面に重なって水平姿勢となる重量配分となり、上記制限板３９は、操作板３０の上下方向の傾動によって係合を解いたロングアーム１５が制限角度以上に屋外側へ回動した状態でロングアーム１５の上面に載り、窓Ｂを全開するロングアーム１５屋外側への回動及び窓Ｂを閉じるために枠側取付けプレート１２の上面に重なる位置へ向けての回動を自由にし、ロングアーム１５が枠側取付けプレート１２の上面に重なる位置に戻ると、制限板３９がロングアーム１５の屋外側に落ち込むことで操作板３０は水平姿勢に自動復帰するようになっている。
【００３６】
また、操作板３０は、孔３６を筒体３１に挿入した状態で、筒体３１の上端を拡径するか、取付けねじの頭部で抜け止め状にすることで台座２９に取付けられ、この操作板３０の室内側に臨む側縁の傾斜縁３８が筒体３１を支点に回動して立ち上がり壁３３に当接した傾斜角度が、ロングアーム１５の回動時の中間規制角度となる。
【００３７】
なお、開放制限具１６は、すべり出し窓用のステー１１に対して、図示の場合、枠側取付けプレート１２を窓枠Ａに固定する取付けねじを介して後付により着脱自在に取付ける例を示したが、この開放制限具１６を枠側取付けプレート１２のロングアーム１５を連結した他方端部に予め組み付けた一体構造のすべり出し窓用のステーとしてもよい。
【００３８】
この発明のすべり出し窓用のステー１１は、上記のような構成であり、図１のように、枠側取付けプレート１２を窓枠Ａの下枠ａ上面の長手方向に沿って取付けねじで固定し、窓側取付けプレート１４の上面を窓Ｂの下面に固定し、開放制限具１６を枠側取付けプレート１２のロングアーム１５を連結した他方端部に、筒体３１から挿通孔１８に挿通した取付けねじを利用して取付け、この状態でハンドルｂを介して窓Ｂを開閉操作することになる。
【００３９】
図２は窓Ｂを閉めたときのすべり出し窓用のステー１１の状態を示し、ショートアーム１３は一方のストッパー２３に当接して切り欠き２５がこのストッパー２３に嵌り込んで枠側取付けプレート１２の長さ方向に平行し、窓側取付けプレート１４とロングアーム１５は、一部重なり合う直線状で枠側取付けプレート１２の長さ方向に平行し、開放制限具１６は、図６（ａ）のように、操作板３０が台座２９からロングアーム１５の上面に重なって直線縁３７が立ち上がり壁３３に当接し、制限板３９がロングアーム１５の屋外側の側縁に係合し、窓Ｂが窓枠Ａ内に納まっている。
【００４０】
上記の状態からハンドルｂを屋外側に押すことで窓Ｂを開くと、窓Ｂとこれに固定した窓側取付けプレート１４はショートアーム１３への枢止連結点を支点として一体に回動し、窓側取付けプレート１４に一端側を連結したロングアーム１５は、屋外側に引き出されるので枠側取付けプレート１２への枢止連結点を支点として回動し、このロングアーム１５に制限板３９が係合する操作板３０も筒体３１を支点にして一体に回動し、前記ロングアーム１５よって窓側取付けプレート１４がロングアーム１５側に引かれることになり、このためショートアーム１３は一方ストッパー２３への当接点を支点に回動する。
【００４１】
図１と図３のように、ロングアーム１５が所定角度だけ回動すると、図６（ｂ）のように、操作板３０は傾斜縁３８が立ち上がり壁３３に当接することで回転が不能となり、制限板３９に係合するロングアーム１５も回転不能となることで窓側取付けプレート１４を固定した窓Ｂはそれ以上の押し開きが不能になり、窓Ｂを全開状態と閉鎖状態の途中で停止させることになる。
【００４２】
上記した開放制限具１６は、ロングアーム１５の根元側となる枠側取付けプレート１２への枢止連結部分に取付けてあるので、窓Ｂを例えば１０°程度の開き角度でストップさせることができ、窓Ｂを少し開いただけで操作板３０を操作することができ、窓Ｂの中間での開放停止角度を狭く設定することで、子供の落下防止を確実に果たすことができる。
【００４３】
このように、全開状態と閉鎖状態の途中でストップさせた窓Ｂを全開する場合は、図７（ｃ）のように、操作板３０の他方端部を上から指先で押し下げてこの操作板３０を台座２９の傾斜面３２に重なるように上下方向に傾斜させ、制限板３９をロングアーム１５の上面よりも高い位置にしてロングアーム１５の係止を解いた状態で、窓Ｂを開き方向に押せばよく、ロングアーム１５の解放によって窓Ｂと窓側取付けプレート１４は開き方向に回動し、ロングアーム１５も屋外方向に回動する。
【００４４】
また、窓Ｂの押し開きが進むと、ショートアーム１３は、突起２１を支点に回動して切り欠き２５が一方のストッパー２３から離れ、傾斜面２０側の突起２２が切り欠き２６からガイド溝１７内に進入し、傾斜面２０がガイド溝１７に平行する傾斜姿勢になると、図４のように、窓側取付けプレート１４の屋外側への回動により、このショートアーム１３はガイド溝１７に沿って他方端部側に移動し、窓Ｂの押し開きが進んでガイド溝１７に対して窓側取付けプレート１４が略直角になると、ショートアーム１３の傾斜側端部が他方ストッパー２４に当接し、窓枠Ａから窓Ｂが略直角に突出する全開状態となる。
【００４５】
上記操作板３０は、ロングアーム１５のストップ位置から更に屋外方向へ回動することにより、その押し下げを解くと、図７（ｄ）のように、制限板３９がロングアーム１５の上面に載ることにより、窓Ｂの押し開きは支障なく行え、ロングアーム１５が全開の位相になってもこの状態が維持される。
【００４６】
次に、全開状態の窓Ｂを閉じるためにハンドルｂを室内側に引くと、窓側取付けプレート１４とロングアーム１５は、解放時と逆に回動することでショートアーム１３はガイド溝１７に沿って一方ストッパー２３側に向けて移動し、窓Ｂは回動しながら窓枠Ａに向けて接近し、ロングアーム１５の回動で制限板３９がその上に載る操作板３０は、同方向に回動しようとすることでその直線縁３７が立ち上がり壁３３に当接した姿勢になり、窓Ｂの開度が丁度中間のストップ位置になると、ショートアーム１３の切り欠き２５の開口端部が一方ストッパー２３に当接し、ショートアーム１３は一方ストッパー２３への当接点を支点に回動することで切り欠き２５が一方ストッパー２３に外嵌し、傾斜側端部の突起２２が切り欠き２６の部分でガイド溝１７の外部に出ることになり、窓Ｂが閉鎖位置になると、窓側取付けプレート１４とロングアーム１５は枠側取付けプレート１２に平行する直線状となる。
【００４７】
上記のように、ロングアーム１５が窓側取付けプレート１４と直線状の姿勢に戻ると、ロングアーム１５は上に載る操作板３０の制限板３９に対して室内側に通過することになり、このため、制限板３９がロングアーム１５の屋外側に落ち込むことで、操作板３０は自動的に水平状態に戻り、次に窓Ｂを開いたときにロングアーム１５をストップ位置に係止して窓Ｂの開き角度を規制することが可能になる。
【図面の簡単な説明】
【００４８】
【図１】この発明に係るすべり出し窓用のステーを用いた窓の開き角度の制限状態を示す斜視図
【図２】この発明に係るすべり出し窓用のステーを示す窓の閉じた状態の平面図
【図３】この発明に係るすべり出し窓用のステーを示す窓の開き角度の規制状態の平面図
【図４】この発明に係るすべり出し窓用のステーを示す窓の全開状態の平面図
【図５】すべり出し窓用のステーに取付ける開放制限具の分解斜視図
【図６】（ａ）はすべり出し窓用のステーに取付けた開放制限具の窓の閉じた状態の平面図、（ｂ）は窓の開き角度の規制状態の平面図
【図７】（ａ）は図６（ｂ）の矢印ｂ−ｂに沿った縦断正面図、（ｂ）は窓の開き角度の規制状態の斜視図、（ｃ）は開放制限具の操作板を押し下げて窓の開き角度の規制を解除した状態の縦断正面図、（ｄ）は開放制限具の操作板が窓の開き角度の規制を解除した状態を示す斜視図
【図８】従来のすべり出し窓用のステーを示す窓への取付け状態の平面図
【符号の説明】
【００４９】
１１        すべり出し窓用のステー
１２        枠側取付けプレート
１３        ショートアーム
１４        窓側取付けプレート
１５        ロングアーム
１６        開放制限具
１７        ガイド溝
１８        挿通孔
１９        ピン
２０        傾斜面
２１        突起
２２        突起
２３        ストッパー
２４        ストッパー
２５        切り欠き
２６        切り欠き
２７        ピン
２８        ピン
２９        台座
３０        操作板
３１        筒体
３２        傾斜面
３３        立ち上がり壁
３４        切り欠き部
３５        挿入片
３６        孔
３７        直線縁
３８        傾斜縁
３９        制限板
【図１】
2008169669.tif 000003
【図２】
2008169669.tif 000004
【図３】
2008169669.tif 000005
【図４】
2008169669.tif 000006
【図５】
2008169669.tif 000007
【図６】
2008169669.tif 000008
【図７】
2008169669.tif 000009
【図８】
2008169669.tif 000010